(57)【要約】【課題】簡略な構成にて、蛍光ペンや蛍光マーカーによりマークされた媒体の蛍光領域を特定する技術を提供する。【解決手段】  波長が異なる３種類の光を照射する光源と、前記光源から媒体に光照射した際の反射光から媒体の第１画像を読み取る第１画像読取センサと、前記光源から媒体に光照射した際の反射光のうち媒体との間に配置された光学フィルタを透過する所定の波長域の光のみを受光して媒体の第２画像を読み取る第２画像読取センサと、前記第２画像の分光特性に基づいて、媒体に含まれる蛍光領域を特定する特定手段と、を備えたことを特徴とする画像処理装置とする。【選択図】図６
2017055197.tif 000002
【特許請求の範囲】
【請求項１】
波長が異なる３種類の光を照射する光源と、
前記光源から媒体に光照射した際の反射光から媒体の第１画像を読み取る第１画像読取センサと、
前記光源から媒体に光照射した際の反射光のうち、光学フィルタを透過する透過光を受光して媒体の第２画像を読み取る第２画像読取センサと、
前記第２画像に基づいて、媒体の蛍光領域を特定する特定手段と、
を備えたことを特徴とする画像読取装置。
【請求項２】
前記特定手段は、前記光源から照射した光の波長と異なる波長の反射光を前記第２画像読取センサが受光して得た前記第２画像に基づいて、前記蛍光領域の存在を特定することを特徴とする請求項１に記載の画像読取装置。
【請求項３】
媒体の画像を読み取る画像読取装置と、前記画像読取装置に接続されて前記画像読取装置から画像を受け取る情報処理装置とを有する画像読取システムにおいて、
前記画像読取装置は、波長が異なる３種類の光を照射する光源と、前記光源から媒体に光照射した際の反射光から媒体の第１画像を読み取る第１画像読取センサと、前記光源から媒体に光照射した際の反射光のうち、光学フィルタを透過する透過光を受光して媒体の第２画像を読み取る第２画像読取センサと、を備え、
前記情報処理装置は、前記画像読取装置から受信した前記第１画像及び前記第２画像のうち前記第２画像に基づいて、媒体の蛍光領域を特定する特定手段を備えたことを特徴とする画像読取システム。
【請求項４】
前記特定手段は、前記光源から照射した光の波長と異なる波長の反射光を前記第２画像読取センサが受光して得た前記第２画像に基づいて、前記蛍光領域の存在を特定することを特徴とする請求項３に記載の画像読取システム。
【発明の詳細な説明】
【技術分野】
【０００１】
本発明は、原稿等の媒体に付与された蛍光領域を特定することが可能な画像読取装置及び画像読取システムに関する。
【背景技術】
【０００２】
従来から、蛍光ペンや蛍光マーカーにより読取り対象原稿の一部をマークし、スキャナなどの画像読取装置を用いてスキャンを行う。読取り画像のマークされた領域に対して、マークされていない領域と異なった画像処理を行う画像読取装置があり、原稿の読取り画像に含まれる蛍光領域を判別する技術が知られている。
【０００３】
蛍光ペンや蛍光マーカーといった蛍光領域に特定波長の光(励起光)を照射すると、蛍光領域は、照射された特定波長の光を吸収することで、電子が励起状態となる。励起状態となった電子は、より安定な基底状態に戻る際に、照射された特定波長の光(励起光)よりも長い波長の光を発光することが知られている。
【０００４】
例えば、白色原稿に黄色の蛍光マーカーにてマークを行った蛍光領域は、励起光である４４０[ｎｍ]程度の青色光の単色光を照射すると、青色光の反射光とともに波長が５２０[ｎｍ]程度の発光が確認される。
【０００５】
同様に白色原稿に緑色の蛍光マーカーにてマークを行った蛍光領域は、励起光である４４０[ｎｍ]程度の青色光の単色光を照射すると、青色光の反射光とともに波長が５００[ｎｍ]程度の発光が確認される。また、白色原稿にピンク色の蛍光マーカーにてマークを行った蛍光領域は、励起光である５４０[ｎｍ]程度の緑色光の単色光を照射すると、緑色光の反射光と波長が５８０[ｎｍ]程度の発光が確認される。
【０００６】
特許文献１では、画像読取装置は、画像読取部に画像読取用のモノラインセンサとは別に蛍光領域検知用の２ラインセンサを有している。蛍光領域検知用の２ラインセンサは、緑色光のみを透過するＧフィルタおよび赤色光のみを透過するＲフィルタを用いている。
【０００７】
原稿に励起光が青色光である蛍光領域が存在する場合、蛍光領域は、励起光である青色光照射時に、青色光よりも長い波長の発光が確認される。また、原稿に励起光が緑色光である蛍光領域蛍光領域が存在する場合、蛍光領域は、励起光である緑色光照射時に、緑色光よりも長い波長の発光が確認される。
【０００８】
そのため、緑色光のみを透過するＧフィルタおよび赤色光のみを透過するＲフィルタを備えた２ラインセンサを用いて蛍光領域の検知を行っている。画像読取装置は、光源(Ｒ(赤)、Ｇ(緑)、Ｂ(青))を順次点灯し、単色光Ｒ(赤)、単色光Ｇ(緑)および単色光Ｂ(青)を原稿に照射する。
【０００９】
画像読取装置は、原稿からの反射光および蛍光領域からの発光をモノラインセンサにて取得し、原稿の読取り画像を生成する。それとともに、画像読取装置は、原稿からの反射光および蛍光領域からの発光を２ラインセンサにて取得する。２ラインセンサは、緑色光のみを透過するＧフィルタおよび赤色光のみを透過するＲフィルタを備えているため、原稿からの反射光および蛍光領域からの発光のうち、ＧフィルタおよびＲフィルタを透過したものが、２ラインセンサにて取得される。２ラインセンサにて取得されたデータをもとに原稿中の蛍光領域の検知を行っている。
【００１０】
また、特許文献２では、光源として可視光よりも波長が短くエネルギーの高い紫外光を用いている。非可視光である紫外光を蛍光領域に照射すると、紫外光を吸収して得られたエネルギーを可視光として発光する。紫外光を蛍光領域に照射した場合の反射光は、紫外光を蛍光領域以外に照射した場合の反射光よりも大幅に大きいことから、紫外光を照射した場合の反射光をイメージセンサにより蓄積し、画像データとすることで原稿中の蛍光領域の検知を行っている。
【先行技術文献】
【特許文献】
【００１１】
【特許文献１】特開平１０−１０７９７０号公報
【特許文献２】特開２０１０−２７３３０２号公報
【発明の概要】
【発明が解決しようとする課題】
【００１２】
ここで、特許文献１のように、画像読取部に画像読取用のモノラインセンサとは別に蛍光領域検知用の２ラインセンサを追加することは、製品コストの上昇に繋がる。また、特許文献２のように、光源として、紫外光源を追加することは、製品コストの上昇や製品の部品点数の増加に繋がり、画像読取部の構成が複雑になってしまうという問題点があった。
【００１３】
本発明は、簡略な構成にて、蛍光ペンや蛍光マーカーによりマークされた媒体の蛍光領域を特定する技術を提供する。
【課題を解決するための手段】
【００１４】
本発明の画像読取装置は、波長が異なる３種類の光を照射する光源と、前記光源から媒体に光照射した際の反射光から媒体の第１画像を読み取る第１画像読取センサと、前記光源から媒体に光照射した際の反射光のうち媒体との間に配置された光学フィルタを透過する所定の波長域の光を受光して媒体の第２画像を読み取る第２画像読取センサと、前記第２画像に基づいて、媒体の蛍光領域を特定する特定手段と、を備えたことを特徴とする。
【００１５】
また、本発明の画像読取システムは、媒体の画像を読み取る画像読取装置と、前記画像読取装置に接続されて前記画像読取装置から画像を受け取る情報処理装置とを有する画像読取システムにおいて、前記画像読取装置は、波長が異なる３種類の光を照射する光源と、前記光源から媒体に光照射した際の反射光から媒体の第１画像を読み取る第１画像読取センサと、前記光源から媒体に光照射した際の反射光のうち、光学フィルタを透過する透過光を受光して媒体の第２画像を読み取る第２画像読取センサと、を備え、
前記情報処理装置は、前記画像読取装置から受信した前記第１画像及び前記第２画像のうち前記第２画像に基づいて、媒体の蛍光領域を特定する特定手段を備えたことを特徴とする。
【発明の効果】
【００１６】
本発明によれば、簡単な構成にて、蛍光ペンや蛍光マーカーによりマークされた媒体の蛍光領域を特定可能な画像読取装置及び画像読取システムを実現できる。
【図面の簡単な説明】
【００１７】
【図１】本発明の一実施形態に係る画像読取システムの構成例を示す図。
【図２】本発明の一実施形態に係る画像読取装置およびホストコンピュータの持つ機能構成を示す図。
【図３】本発明の一実施形態に係るイメージセンサの構成例を示す図。
【図４】白色原稿にＲ、Ｇ、Ｂを照射した際のイメージセンサの分光感度特性を表す概略図。
【図５】イメージセンサのフィルタ特性を表す概略図。
【図６】Ｂ光照射時における原稿中の黄蛍光ペンの分光感度特性を表す概略図。
【図７】Ｇ光照射時における原稿中のピンク蛍光ペンの分光感度特性を表す概略図。
【発明を実施するための形態】
【００１８】
以下、本発明を実施の形態に基づいて詳細に説明する。
まず、図１を参照して、本発明の適用される画像読取システムの構成について説明する。原稿載置台に載置された複数枚の原稿の給紙を行い、給紙された原稿を画像データとして読取を行う画像読取装置に関し、詳しくは、蛍光マーカーが読取対象原稿に含まれている領域を判定する画像読取装置に関するものである。
【００１９】
図１に示すように、本実施形態に係る画像読取システムは、画像読取装置３００および情報処理装置であるホストコンピュータ８００と、を備え、これら画像読取装置３００とホストコンピュータ８００とで画像読取システム（又は画像処理装置）を構成する。
【００２０】
ホストコンピュータ８００は、画像読取装置３００と接続され、画像読取装置３００を統括的に制御する。そのため、ホストコンピュータ８００は、画像読取装置３００の画像読取り動作を制御するためのスキャナアプリケーション及びスキャナデバイスドライバと、を備える。
【００２１】
画像読取装置３００とホストコンピュータ８００は、例えば、ＵＳＢケーブルやＬＡＮケーブル等を介して互いに接続されているが、無線を通じて接続してもよい。画像読取装置内部の光学ユニット２０２には、イメージセンサが取り付けられており、ベルト２０３により光学ユニット２０２が移動することで原稿台に載置された原稿２０１の画像データを読取る。
【００２２】
次に、図２を参照して、画像読取装置３００およびホストコンピュータ８００の機能構成について説明する。図２は、本実施形態に係る画像読取装置３００およびホストコンピュータ８００の機能構成を示すブロック図である。
【００２３】
画像読取装置３００は、ＣＰＵ１１１、画像メモリ１１２、Ｉ／Ｆ制御部１１３、モータ制御部１１４、及び画像読取部１１５を備える。ＣＰＵ１１１は、画像読取装置３００を統括的に制御する。
【００２４】
図２に示すように、ＣＰＵ１１１と各機能ブロックとは、内部バスで接続されている。モータ制御部１１４は、スキャナモータ等の各モータの駆動を制御し、光学ユニット２０２の移動を制御する。
【００２５】
画像読取部１１５は、光学ユニット２０２に設置されているイメージセンサを制御し、原稿台に載置されている原稿２０１の画像データを読取る。画像メモリ１１２は、画像読取部１１５により読取られた画像データを格納する。Ｉ／Ｆ制御部１１３は、ＵＳＢケーブルやＬＡＮケーブル等を介して接続されたホストコンピュータ８００とのやり取りを制御する。
【００２６】
一方、ホストコンピュータ８００は、ＣＰＵ４１１、一時記憶部４１２、情報記憶部４１３、Ｉ／Ｆ制御部４１４、及び画像処理部４１５を備える。ＣＰＵ４１１は、ホストコンピュータ８００を統括的に制御する。
【００２７】
Ｉ／Ｆ制御部４１４は、ＵＳＢケーブルやＬＡＮケーブル等を介して接続された画像処理装置３００とのやり取りを制御する。
【００２８】
ホストコンピュータ８００からの画像データ転送要求により、画像読取装置３００の読取った画像データは、ＵＳＢケーブルやＬＡＮケーブル等を介し、ホストコンピュータ８００へ送信される。
【００２９】
一時的記憶部４１２は、ＵＳＢケーブルやＬＡＮケーブル等を介して受信した画像データを一時的に格納する。
【００３０】
画像処理部４１５は、一時的記憶部４１２に格納された画像データに画像処理を施す。
【００３１】
情報記憶部４１３は、画像処理部４１５により画像処理が行われた画像データを格納し、保存する。
【００３２】
図３は、光学ユニット２０２の構成図である。光学ユニット２０２は、イメージセンサ４０１(４０１ａ、４０１ｂ)、導光体４０２、レンズ４０３、フィルタ４０４、および不図示のＲ色光のＬＥＤ光源Ｒ、Ｇ色光のＬＥＤ光源Ｇ、Ｂ色光のＬＥＤ光源Ｂにより構成される。これら各光源は、順次切り替えて光照射が可能である。
【００３３】
イメージセンサ４０１は、ＣＩＳ(Contact Image Sensor)であり、例えば、本実施形態では、フィルタを備えていない４０１ａと、Ｇ色光のみを透過するフィルタ４０４を備えた４０１ｂとを有する２ラインセンサである。すなわち、イメージセンサ４０１ａは、波長が異なる３種類（Ｒ，Ｇ，Ｂ）の光に感度を有する第１画像読取センサの一例であり、イメージセンサ４０１ｂは、蛍光領域を判別するためにフィルタを通過した所定の波長域（本実施形態ではＧ色）の光に感度を持つ第２画像読取センサの一例である。つまり、光源で発光する光の波長と異なる波長の反射光を蛍光領域からイメージセンサ４０１ｂから受光することにより、蛍光領域の存在を特定することが可能となる。
【００３４】
不図示のＬＥＤ光源を点灯すると、光は、導光体４０２を通り、原稿２０１に照射される。原稿２０１からの反射光は、レンズ４０３により、イメージセンサ４０１上に結像される。
【００３５】
イメージセンサ４０１に光が一定時間照射されると電荷が蓄積される。イメージセンサ４０１に蓄積した電荷を電圧に変換し、電圧を不図示のＡ／Ｄコンバータによりデジタルデータに変換する。デジタルデータに変換された原稿２０１の読取画像は、画像メモリ１１２に格納される。
【００３６】
図４は、白色原稿にＲ色光の光源Ｒ、Ｇ色光の光源Ｇ、およびＢ色光の光源Ｂを照射した際のセンサ４０１ａの分光感度特性を表す。
【００３７】
縦軸は、相対感度[％]、横軸は波長[ｎｍ]を表す。白色原稿にＲ色光の光源Ｒを照射した際のスペクトル(５０１)は、光源であるＲ色光の波長６３０[ｎｍ]とほぼ一致している。
【００３８】
同様に、白色原稿にＧ色光の光源Ｇを照射した際のスペクトル(５０２)は、光源であるＧ色光の波長５３０[ｎｍ]とほぼ一致している。また、同様に、白色原稿にＢ色光の光源Ｂを照射した際のスペクトル(５０３)は、光源であるＢ色光の波長４６０[ｎｍ]とほぼ一致している。
【００３９】
図５は、光学ユニットのフィルタ４０４のフィルタ特性を表す。縦軸は、フィルタの透過率[％]、横軸は波長[ｎｍ]を表す。フィルタ４０４は、Ｇ色光を透過し、Ｒ色光やＢ色光は透過しない。Ｇ光の波長５３０[ｎｍ]付近の波長を透過するようになっている。
【００４０】
画像読取装置３００は、ホストコンピュータ８００からの画像読取開始指示を受けると、モータ制御部１１４により不図示のモータを正方向に回転することで、光学ユニット２０２を移動し、原稿台に載置されている原稿２０１の画像読取り処理を開始する。
【００４１】
画像読取装置３００は、画像読取り部１１５を制御し、光学ユニット２０２の不図示であるＲ色光のＬＥＤ光源Ｒを点灯する。Ｒ色光のＬＥＤ光源Ｒは、光学ユニット２０２の導光体４０２を通り、原稿２０１に照射される。
【００４２】
原稿２０１からのＲ色光のＬＥＤ光源Ｒの反射光は、レンズ４０３により、イメージセンサ４０１上に結像される。イメージセンサ４０１ａには、原稿２０１からのＲ色光であるＬＥＤ光源Ｒの反射光が蓄積される。
【００４３】
イメージセンサ４０１ｂには、原稿２０１からのＲ色光であるＬＥＤ光源Ｒの反射光のうちフィルタ４０４を透過した光が蓄積される。
【００４４】
画像読取装置３００は、一定時間Ｒ色光のＬＥＤ光源Ｒを点灯すると、ＬＥＤ光源Ｒを消灯し、Ｇ色光のＬＥＤ光源Ｇを点灯する。Ｇ色光のＬＥＤ光源Ｇは、光学ユニット２０２の導光体４０２を通り、原稿２０１に照射される。
【００４５】
原稿２０１からのＧ色光のＬＥＤ光源Ｇの反射光は、レンズ４０３により、イメージセンサ４０１上に結像される。
【００４６】
イメージセンサ４０１ａには、原稿２０１からのＧ色光であるＬＥＤ光源Ｇの反射光が蓄積される。イメージセンサ４０１ｂには、原稿２０１からのＧ色光であるＬＥＤ光源Ｇの反射光のうちフィルタ４０４を透過した光が蓄積される。
【００４７】
画像読取装置３００は、一定時間Ｇ色光のＬＥＤ光源Ｇを点灯すると、ＬＥＤ光源Ｇを消灯し、Ｂ色光のＬＥＤ光源Ｂを点灯する。Ｂ色光のＬＥＤ光源Ｂは、光学ユニット２０２の導光体４０２を通り、原稿２０１に照射される。
【００４８】
原稿２０１からのＢ色光のＬＥＤ光源Ｂの反射光は、レンズ４０３により、イメージセンサ４０１上に結像される。
【００４９】
イメージセンサ４０１ａには、原稿２０１からのＢ色光であるＬＥＤ光源Ｂの反射光が蓄積される。イメージセンサ４０１ｂには、原稿２０１からのＢ色光であるＬＥＤ光源Ｂの反射光のうちフィルタ４０４を透過した光が蓄積される。
【００５０】
このようにして、Ｒ色光のＬＥＤ光源Ｒ、Ｇ色光のＬＥＤ光源Ｇ、Ｂ色光のＬＥＤ光源Ｂを順次点灯することで、画像読取り装置３００は、１ライン分の画像データを読取る。
【００５１】
画像読取装置３００は、原稿台に載置されている原稿２０１の1ライン分の画像データを取得すると、モータ制御部１１４により不図示のモータを駆動し、光学ユニット２０２を次ラインへ進める。
【００５２】
画像読取装置３００は、１ラインの画像読取りを原稿２０１の端から端まで繰り返し行うことで、原稿２０１の読取りを行う。
【００５３】
画像読取装置３００は、原稿２０１の読取りが終了すると、ホストコンピュータ８００からの画像データ転送要求に対して、読取った画像データを、ＵＳＢケーブルやＬＡＮケーブル等を介し、ホストコンピュータ８００へ送信する。
【００５４】
ホストコンピュータ８００は、画像読取装置３００から画像データを受信すると、一時記憶部４１２に保存する。原稿２０１中に蛍光ペンや蛍光マーカーによりマークされた蛍光領域が存在するか否かの蛍光領域検知処理は画像処理部４１５にて行われる。つまり、画像処理部４１５が、原稿（媒体）に含まれる蛍光領域を特定する特定手段としての役割を有する。そして、この画像処理部４１５は、原稿に蛍光領域が含まれているか判断（判定）できるため、原稿に蛍光領域が含まれている場合、蛍光領域以外の領域に対する画像処理と異なる、その蛍光領域に応じた画像処理を施すことが可能である。
【００５５】
原稿２０１中に蛍光領域が存在する場合、蛍光領域に特定の波長の光を照射すると、蛍光領域は照射された光を吸収し、電子は、励起状態となる。
【００５６】
励起状態となった電子は、安定な基底状態に戻る際に照射された光よりも長い波長の光を発光する。
【００５７】
すなわち、原稿２０１中に蛍光領域が存在する場合、Ｂ色光であるＬＥＤ光源Ｂを照射すると、照射したＢ色光よりも波長の長いＧ色光を発光する。Ｂ色光であるＬＥＤ光源Ｂを照射した場合、イメージセンサ４０１ｂにはＧ色光のみを透過するフィルタ４０４が取り付けられているため、Ｂ色光は透過しない。
【００５８】
そして、原稿２０１中に蛍光領域が存在する場合、原稿２０１中の蛍光領域がＢ光を照射されたことにより励起状態になり、励起状態から基底状態に戻る際に発光した光が読取られる。そのため、Ｂ色光であるＬＥＤ光源Ｂを照射した際のイメージセンサ４０１ｂの画像データを確認することで、原稿中に蛍光領域があるか否かを検知することができる。
【００５９】
図６は、Ｂ光照射時における原稿中の黄蛍光ペンの分光感度特性を表す。
【００６０】
６０２は、照射光であるＢ色光の光源Ｂのスペクトルを表す。６０１は、フィルタ４０４のフィルタ特性を表す。６０３は、白色原稿中における黄蛍光ペンの反射光のスペクトルを表す。
【００６１】
白色原稿に黄色の蛍光マーカーにてマークを行った蛍光領域は、励起光であるＢ色光の単色光を照射すると、Ｂ色光の一部を吸収し、励起状態となる。そして、基底状態に遷移する際に波長が５２０[ｎｍ]程度の発光が確認される。
【００６２】
このＢ色光照射時における黄色蛍光マーカーの発光は、フィルタ４０４を透過し、イメージセンサ４０１ｂに蓄積される。そのため、イメージセンサ４０１ｂの画像データを確認することで、原稿中に黄色の蛍光マーカーにてマークを行った蛍光領域があるか否かを検知することができる。
【００６３】
Ｇ色光であるＬＥＤ光源Ｇを照射した場合、イメージセンサ４０１ｂにはＧ色光のみを透過するフィルタ４０４が取り付けられているため、イメージセンサ４０１ａとイメージセンサ４０１ｂにて読取られる画像データは、フィルタ４０４による遮蔽のみで、ほぼ同一となるはずである。
【００６４】
原稿２０１中に蛍光領域が存在する場合、蛍光領域が照射光を吸収するため、照射光に対して反射光は弱くなる。また、蛍光領域による発光は、照射されたＧ色光よりも長くなるため、フィルタ４０４により遮蔽される。
【００６５】
そのため、Ｇ色光であるＬＥＤ光源Ｇを照射した際にイメージセンサ４０１ｂにて読取った画像データとイメージセンサ４０１ａにて読取った画像データの差分の画像データを確認することで、原稿中に蛍光領域があるか否かを検知することができる。
【００６６】
図７は、Ｇ光照射時における原稿中のピンク蛍光ペンの分光感度特性を表す。６０４は、照射光であるＧ色光の光源Ｇのスペクトルを表す。６０１は、フィルタ４０４のフィルタ特性を表す。
【００６７】
６０５は、白色原稿中におけるピンク蛍光ペンの反射光のスペクトルを表す。白色原稿にピンクの蛍光マーカーにてマークを行った蛍光領域は、励起光であるＧ色光の単色光を照射すると、Ｇ色光の一部を吸収し、励起状態となる。
【００６８】
そして、基底状態に遷移する際に波長が５８０[ｎｍ]程度の発光が確認される。照射されたＧ色光は、蛍光領域により吸収されるため、フィルタ４０４を透過する反射光は、照射光に比べて大幅に減少する。
【００６９】
また、基底状態に遷移する際の発光は、照射光よりも波長が長くなるため、Ｇ色光照射時の蛍光領域の発光は、フィルタ４０４により遮蔽され、イメージセンサ４０１ｂには蓄積されない。
【００７０】
イメージセンサ４０１ａにて取得した画像データとイメージセンサ４０１ｂ にて取得した画像データを比較することで、原稿中に蛍光領域があるか否かを検知することができる。
【００７１】
以上に説明した実施形態例では、イメージセンサとしてＣＩＳ(Contact Image Sensor)を用いている。イメージセンサとしてＣＣＤ(Charge Coupled Device)等のイメージセンサを用いてもよい。また、原稿中に含まれる蛍光領域の検知処理は、ホストＰＣにて行っているが、画像読取装置内部にて行ってもよい。
【００７２】
Ｒ色光源、Ｇ色光源およびＢ色光源から照射されるＲ色光、Ｇ色光およびＢ色光を原稿に照射し、原稿からの反射光を第一撮像手段であるイメージセンサにて読込む。第一撮像手段であるイメージセンサへの反射光の取り込みと同時にＧ色光およびＢ色光を原稿に照射した際には、Ｇ色光源のみ透過するフィルタを介して第２撮像手段に取り込む。第一撮像手段と第二撮像手段にて取得した画像データを比較することで、簡略な構成に従いつつ、蛍光ペンや蛍光マーカーにより原稿にマークした蛍光領域の検知を実現できる。
【００７３】
なお、本発明は、次のような態様を含む。
本発明の一態様としては、波長が異なる３種類の光を照射する光源と、前記光源から媒体に光照射した際の反射光から媒体の第１画像を読み取る第１画像読取センサと、前記光源から媒体に光照射した際の反射光のうち、光学フィルタを透過する透過光を受光して媒体の第２画像を読み取る第２画像読取センサと、前記第２画像に基づいて、媒体の蛍光領域を特定する特定手段と、を備えたことを特徴とする画像読取装置にある。
かかる本発明の態様によれば、光学フィルタを通さずに媒体からの反射光から得た第１画像を取得しながら、光学フィルタを通して得た第２画像に基づいて媒体の蛍光領域を特定できる。
【００７４】
また、上記本発明では、前記特定手段は、前記光源から照射した光の波長と異なる波長の反射光を前記第２画像読取センサが受光して得た前記第２画像に基づいて、前記蛍光領域の存在を特定することを特徴としてもよい。
かかる本発明の態様によれば、発光する波長と受光の波長とが異なることを条件として、蛍光領域の存在を特定することができる。
【００７５】
また、上記本発明では、媒体の画像を読み取る画像読取装置と、前記画像読取装置に接続されて前記画像読取装置から画像を受け取る情報処理装置とを有する画像読取システムにおいて、前記画像読取装置は、波長が異なる３種類の光を照射する光源と、前記光源から媒体に光照射した際の反射光から媒体の第１画像を読み取る第１画像読取センサと、前記光源から媒体に光照射した際の反射光のうち、光学フィルタを透過する透過光を受光して媒体の第２画像を読み取る第２画像読取センサと、を備え、前記情報処理装置は、前記画像読取装置から受信した前記第１画像及び前記第２画像のうち前記第２画像に基づいて、媒体の蛍光領域を特定する特定手段を備えたことを特徴とする画像読取システムにある。
かかる本発明の態様によれば、情報処理装置側で媒体の蛍光領域を特定できる。
【００７６】
また、上記本発明の画像読取システムでは、前記特定手段は、前記光源から照射した光の波長と異なる波長の反射光を前記第２画像読取センサが受光して得た前記第２画像に基づいて、前記蛍光領域の存在を特定することを特徴としてもよい。
かかる本発明の態様によれば、発光する波長と受光の波長とが異なることを条件として、蛍光領域の存在を特定することができる。
【符号の説明】
【００７７】
１１１  ＣＰＵ
１１２  画像メモリ
１１３  Ｉ／Ｆ制御部
１１４  モータ制御部
１１５  画像読取部
２０１  原稿（媒体の一例）
２０２  光学ユニット
２０３  ベルト
３００  画像読取装置
４０１  イメージセンサ
４０２  導光体
４０３  レンズ
４０４  フィルタ
８００  ホストコンピュータ
【図１】
2017055197.tif 000003
【図２】
2017055197.tif 000004
【図３】
2017055197.tif 000005
【図４】
2017055197.tif 000006
【図５】
2017055197.tif 000007
【図６】
2017055197.tif 000008
【図７】
2017055197.tif 000009